(57)【要約】【課題】  リアルタイムで旅行鞄遺失に対応するシステム及び方法の提供。【解決手段】  乗客がタグを旅行鞄に結びつけ、このタグにサービスステーションの全天候サービス電話番号が印刷され、乗客が携帯電話番号と姓名を記入する。旅行鞄の遺失が分かった時、乗客は携帯電話を起動し、且つこの遺失した旅行鞄が見つかった時、航空会社の人員が旅行鞄のタグに印刷されたサービスステーションの全天候サービス電話番号によりサービスステーションに電話し、並びにサービスステーションがタグに記載された乗客の携帯電話番号及び姓名により、遺失した旅行鞄が見つかったことを乗客に伝える。【選択図】        図１
2006072959.tif 000002
【特許請求の範囲】
【請求項１】
サービスステーションと、タグを具え、
該サービスステーションは全天候サービス電話を提供し、
該タグは預ける旅行鞄に繋ぎ止められ、それにはサービスステーションの全天候サービス電話番号が印刷され、並びに乗客が携帯電話番号と姓名を記入でき、
旅行鞄が遺失した時、乗客は携帯電話を起動し、航空会社の人員が遺失した旅行鞄を発見した時、旅行鞄上のタグに印刷されたサービスステーションの全天候サービス電話番号により、該サービスステーションにダイアルし、並びにサービスステーションにタグに記入された乗客の携帯電話番号及び姓名を記録させ、サービスステーションより遺失した旅行鞄が発見されたことを乗客に伝えることを特徴とする、リアルタイムで旅行鞄遺失に対応するシステム。
【請求項２】
請求項１記載のリアルタイムで旅行鞄遺失に対応するシステムにおいて、サービスステーションが乗客の携帯電話にダイアルするか或いはショートメッセージを送り、乗客の確実な位置を知り、航空会社に遺失した旅行鞄を乗客に送らせることを特徴とする、リアルタイムで旅行鞄遺失に対応するシステム。
【請求項３】
請求項１記載のリアルタイムで旅行鞄遺失に対応するシステムにおいて、タグに乗客が身につけて携帯できる保護カバーが付随し、該保護カバーにもサービスステーションの全天候サービス電話番号が印刷されたことを特徴とする、リアルタイムで旅行鞄遺失に対応するシステム。
【請求項４】
請求項３記載のリアルタイムで旅行鞄遺失に対応するシステムにおいて、保護カバーのサイズがパスポートサイズとされたことを特徴とする、リアルタイムで旅行鞄遺失に対応するシステム。
【請求項５】
請求項３記載のリアルタイムで旅行鞄遺失に対応するシステムにおいて、乗客が旅行鞄の遺失に気づき並びにその携帯電話を起動した後に、主動的にサービスステーションにダイアルしサービスステーションに遺失した旅行鞄の情報を記録させることを特徴とする、リアルタイムで旅行鞄遺失に対応するシステム。
【請求項６】
請求項１記載のリアルタイムで旅行鞄遺失に対応するシステムにおいて、乗客が旅行鞄の遺失に気づきその携帯電話を起動し、航空会社人員が遺失した旅行鞄を発見した時、旅行鞄のタグに記載された乗客の携帯電話番号により直接乗客にダイアルして乗客の確実な位置を知り、遺失した旅行鞄を乗客に送ることを特徴とする、リアルタイムで旅行鞄遺失に対応するシステム。
【請求項７】
リアルタイムで旅行鞄遺失に対応する方法において、
（Ａ）乗客が預ける旅行鞄にサービスステーションの全天候サービス電話番号が印刷されて乗客が携帯電話番号と姓名を記入したタグを結びつける。
（Ｂ）旅行鞄の遺失が分かった時、乗客はその携帯電話を起動する。
（Ｃ）遺失した旅行鞄が見つかった時、航空会社の人員が旅行鞄のタグに印刷されたサービスステーションの全天候サービス電話番号により該サービスステーションにダイアルし、並びにサービスステーションにタグに記録された乗客の携帯電話番号と姓名を記録させる。
（Ｄ）サービスステーションより遺失した旅行鞄が発見されたことを乗客に報告する。  以上のステップを具えたことを特徴とする、リアルタイムで旅行鞄遺失に対応する方法。
【請求項８】
請求項７記載のリアルタイムで旅行鞄遺失に対応する方法において、（Ｄ）のステップで、サービスステーションが乗客の携帯電話にダイアルするかショートメッセージを送り、乗客の確実な位置を知り、航空会社に通知して遺失した旅行鞄を乗客に送るよう通知することを特徴とする、リアルタイムで旅行鞄遺失に対応する方法。
【請求項９】
請求項８記載のリアルタイムで旅行鞄遺失に対応する方法において、（Ａ）のステップで、タグに乗客が身につけて携帯できる保護カバーが付随し、該保護カバーにもサービスステーションの全天候サービス電話番号が印刷されたことを特徴とする、リアルタイムで旅行鞄遺失に対応する方法。
【請求項１０】
請求項９記載のリアルタイムで旅行鞄遺失に対応する方法において、保護カバーのサイズがパスポートサイズとされたことを特徴とする、リアルタイムで旅行鞄遺失に対応する方法。
【請求項１１】
請求項９記載のリアルタイムで旅行鞄遺失に対応する方法において、（Ｂ）のステップ中、乗客が主動的にサービスステーションにダイアルしサービスステーションに遺失した旅行鞄の情報を記録させることを特徴とする、リアルタイムで旅行鞄遺失に対応する方法。
【請求項１２】
請求項７記載のリアルタイムで旅行鞄遺失に対応する方法において、（Ｃ）のステップで、遺失した旅行鞄を発見した時、航空会社人員が旅行鞄のタグに記載された乗客の携帯電話番号により直接乗客にダイアルして乗客の確実な位置を知り、遺失した旅行鞄を乗客に送ることを特徴とする、リアルタイムで旅行鞄遺失に対応する方法。
【請求項１３】
リアルタイムで旅行鞄遺失に対応するシステムにおいて、サービスステーションとタグ及び保護カバーを具え、該サービスステーションは全天候サービス電話を提供し、タグは乗客が預ける荷物に結びつけられ、それにサービスステーションの全天候サービス電話番号とシリアルナンバーが印刷され、該保護カバーは乗客が身につけて携帯でき、それにサービスステーションの全天候サービス電話番号と同じシリアルナンバーが印刷され、
旅行鞄が遺失した時、乗客が携帯電話を起動し、保護カバーの全天候サービス電話番号によりサービスステーションにダイアルして携帯電話番号とシリアルナンバーをサービスステーションに告知して記録させ、航空会社人員が遺失した旅行鞄を発見した時、旅行鞄のタグのサービスステーションの全天候サービス電話番号によりサービスステーションにダイアルし、並びに旅行鞄のタグのシリアルナンバーを告知し、サービスステーションがこのシリアルナンバーにより乗客の携帯電話番号を調べて旅行鞄が発見されたことを乗客に伝えることを特徴とする、リアルタイムで旅行鞄遺失に対応するシステム。
【請求項１４】
請求項１３記載のリアルタイムで旅行鞄遺失に対応するシステムにおいて、サービスステーションが乗客の携帯電話にダイアルするか或いはショートメッセージを送り、乗客の確実な位置を知り、航空会社に遺失した旅行鞄を乗客に送るよう通知することを特徴とする、リアルタイムで旅行鞄遺失に対応するシステム。
【請求項１５】
請求項１３記載のリアルタイムで旅行鞄遺失に対応する方法において、保護カバーのサイズがパスポートサイズとされたことを特徴とする、リアルタイムで旅行鞄遺失に対応する方法。
【請求項１６】
リアルタイムで旅行鞄遺失に対応する方法において、
（Ａ）乗客が預ける旅行鞄に、サービスステーションの全天候サービス電話番号とシリアルナンバーが印刷されたタグを結びつけると共に、サービスステーションの全天候サービス電話番号と同じシリアルナンバーが印刷された保護カバーを付随したタグを身につけて携帯する。
（Ｂ）旅行鞄の遺失が分かった時、乗客はその携帯電話を起動し、保護カバーのサービスステーションの全天候サービス電話番号によりサービスステーションにダイアルし、携帯電話番号とシリアルナンバーをサービスステーションに告知して記録させる。
（Ｃ）遺失した旅行鞄が見つかった時、航空会社人員が旅行鞄のタグに印刷されたサービスステーションの全天候サービス電話番号により該サービスステーションにダイアルし、並びにタグのシリアルナンバーを告知する。
（Ｄ）サービスステーションがシリアルナンバーにより乗客の携帯電話番号を調べて乗客にダイアルし、遺失した旅行鞄が発見されたことを乗客に告知し、並びに乗客の確実な位置を知り、航空会社に遺失した旅行鞄を乗客に送るように告知する。
以上のステップを具えたことを特徴とする、リアルタイムで旅行鞄遺失に対応する方法。
【発明の詳細な説明】
【技術分野】
【０００１】
本発明は遺失した旅行鞄のサーチの方法に係り、特に、リアルタイムで旅行鞄遺失に対応するシステム及び方法に関する。
【背景技術】
【０００２】
工業商業の発達及びレジャー活動が盛んになる傾向にあって、人々が航空運輸を利用するのは極めて一般的となり、飛行機に搭乗する時には、携帯できる荷物は有限であるため、乗客は比較的大きな旅行鞄は飛行場の人員に渡し、目的地まで運送して貰う。しかし飛行機の航路は複雑で、乗客が出発地から目的地に到る過程で、飛行機を乗り換えることもあり、乗客の旅行鞄も飛行場で転載されねばならない。しかし、飛行機の遅延や乗り換え時間の短縮、或いは飛行場の作業員の作業ミスにより、旅行鞄が乗客の乗った飛行機と共に正確に目的地の飛行場に到達しないことがあり、正確な旅行鞄受け渡し場所に到達せず、乗客が目的地に着いても旅行鞄を受け取れない問題が発生することがある。
【０００３】
このような問題を防止するため、一般に航空会社は乗客がチェックインする時に、飛行機で運ぶ旅行鞄にタグをつなぎ止め、それにシリアルナンバーを記載し、旅行鞄に遺失の情況が発生した時に、航空会社或いは飛行場の人員が旅行鞄を見つけた後に、タグのシリアルナンバーにより、乗客のデータを探し出して旅行鞄を乗客に渡せるようにしている。このほか、乗客も自分でタグを用意して、それに自己の姓名、住所、電話番号等の基本データを書き込み、このタグを旅行鞄に繋ぎ止めて、遺失の情況が発生した時に、航空会社或いは飛行場の人員が旅行鞄を見つけ出した時に、タグの基本データにより乗客の住所に旅行鞄を送り届けられるようにしている。
【０００４】
しかし、一般に飛行機に搭乗する人員のほとんどは外国で商業活動に従事したり、レジャーを楽しんだりするため、旅行鞄の遺失は極めて大きな不便をもたらす。且つ一般の人が旅行鞄に記載する住所は住まいの住所であり、ゆえに旅行鞄をタグの住所に送っても助けにならず、また、タグに正確な住所が記載されていても、上述の伝統的な方式では見つかった旅行鞄が乗客の住居に届いた時には、時間がかかりすぎて乗客が転居していたり、或いは旅行から未だ住所に戻っていなかったりする場合があり、ゆえにその時効性が失われる。
【発明の開示】
【発明が解決しようとする課題】
【０００５】
本発明の主要な目的は、リアルタイムで旅行鞄遺失に対応するシステム及び方法を提供し、上述の周知の技術の欠点を解決することにある。
【０００６】
本発明はリアルタイムで旅行鞄遺失に対応するシステムを提供し、それは、サービスステーションと、タグを具え、該サービスステーションは全天候サービス電話を提供し、該タグは預ける旅行鞄に繋ぎ止められ、それにはサービスステーションの全天候サービス電話番号が印刷され、並びに乗客が携帯電話番号と姓名を記入でき、旅行鞄が遺失した時、乗客は携帯電話を起動し、航空会社の人員が遺失した旅行鞄を発見した時、旅行鞄上のタグに印刷されたサービスステーションの全天候サービス電話番号により、該サービスステーションにダイアルし、並びにサービスステーションにタグに記入された乗客の携帯電話番号及び姓名を記録させ、サービスステーションより遺失した旅行鞄が発見されたことを乗客に伝えるか、或いは航空会社の人員が直接乗客の携帯電話にダイアルして乗客の所在の場所を画定し、その後、旅行鞄を乗客に送る。
【０００７】
本発明はまた、リアルタイムで旅行鞄遺失に対応する方法を提供し、それは、以下のステップを包含する。（Ａ）乗客が預ける旅行鞄にサービスステーションの全天候サービス電話番号が印刷されて乗客が携帯電話番号と姓名を記入したタグを結びつける。（Ｂ）旅行鞄の遺失が分かった時、乗客はその携帯電話を起動する。（Ｃ）遺失した旅行鞄が見つかった時、航空会社の人員が旅行鞄のタグに印刷されたサービスステーションの全天候サービス電話番号により該サービスステーションにダイアルし、並びにサービスステーションがタグに記録された乗客の携帯電話番号と姓名を記録する。（Ｄ）サービスステーションより旅行鞄を遺失した乗客に報告する。
【０００８】
本発明はまたリアルタイムで旅行鞄遺失に対応するシステムを提供し、それはサービスステーション、タグ、保護カバーを具え、該サービスステーションは、全天候サービス電話を提供し、タグは預ける旅行鞄に繋がれ、サービスステーションの全天候サービス電話番号とシリアルナンバーが印刷され、保護カバーは、乗客が身につけて携帯し、それにサービスステーションの全天候サービス電話番号及び同じシリアルナンバーが印刷されている。旅行鞄が遺失した時、乗客はその携帯電話を起動して、保護カバー上のサービス電話番号でサービスステーションにダイアルし並びに携帯電話番号とシリアルナンバーをサービスステーションに告知してそれを記録させ、航空会社の人員が遺失した旅行鞄を見つけた時、旅行鞄のタグに印刷されたサービスステーションの全天候サービス電話番号番号により該サービスステーションにダイアルし、並びにタグのシリアルナンバーを告知し、サービスステーションがこのシリアルナンバーにより乗客の携帯電話番号を探し出し、遺失した旅行鞄が見つかったことを乗客に伝える。
【０００９】
本発明はまた、リアルタイムで旅行鞄遺失に対応する方法を提供し、それは、以下のステップを包含する。（Ａ）乗客が飛行機に預ける旅行鞄にサービスステーションの全天候サービス電話番号とシリアルナンバーが印刷されたタグを結びつける。該タグにはまた保護カバーが付属し、該保護カバーにもサービスステーションの全天候サービス電話番号と同じシリアルナンバーが印刷され、且つ保護カバーは乗客が身につけて携帯する。（Ｂ）旅行鞄の遺失が分かった時、乗客はその携帯電話を起動し、並びにその携帯電話番号とシリアルナンバーをサービスステーションに告知して記録させる。（Ｃ）遺失した旅行鞄が見つかった時、航空会社の人員が旅行鞄のタグに印刷されたサービスステーションの全天候サービス電話番号により該サービスステーションにダイアルし、並びにサービスステーションにタグ上のシリアルナンバーを告知する。（Ｄ）サービスステーションがシリアルナンバーにより乗客の携帯電話番号を探し出し、並びに旅行鞄を遺失した乗客にダイアルし、並びに乗客の確実な位置を知り、航空会社に遺失した旅行鞄を乗客に送るよう告知する。
【課題を解決するための手段】
【００１０】
請求項１の発明は、サービスステーションと、タグを具え、
該サービスステーションは全天候サービス電話を提供し、
該タグは預ける旅行鞄に繋ぎ止められ、それにはサービスステーションの全天候サービス電話番号が印刷され、並びに乗客が携帯電話番号と姓名を記入でき、
旅行鞄が遺失した時、乗客は携帯電話を起動し、航空会社の人員が遺失した旅行鞄を発見した時、旅行鞄上のタグに印刷されたサービスステーションの全天候サービス電話番号により、該サービスステーションにダイアルし、並びにサービスステーションにタグに記入された乗客の携帯電話番号及び姓名を記録させ、サービスステーションより遺失した旅行鞄が発見されたことを乗客に伝えることを特徴とする、リアルタイムで旅行鞄遺失に対応するシステムとしている。
請求項２の発明は、請求項１記載のリアルタイムで旅行鞄遺失に対応するシステムにおいて、サービスステーションが乗客の携帯電話にダイアルするか或いはショートメッセージを送り、乗客の確実な位置を知り、航空会社に遺失した旅行鞄を乗客に送らせることを特徴とする、リアルタイムで旅行鞄遺失に対応するシステムとしている。
請求項３の発明は、請求項１記載のリアルタイムで旅行鞄遺失に対応するシステムにおいて、タグに乗客が身につけて携帯できる保護カバーが付随し、該保護カバーにもサービスステーションの全天候サービス電話番号が印刷されたことを特徴とする、リアルタイムで旅行鞄遺失に対応するシステムとしている。
請求項４の発明は、請求項３記載のリアルタイムで旅行鞄遺失に対応するシステムにおいて、保護カバーのサイズがパスポートサイズとされたことを特徴とする、リアルタイムで旅行鞄遺失に対応するシステムとしている。
請求項５の発明は、請求項３記載のリアルタイムで旅行鞄遺失に対応するシステムにおいて、乗客が旅行鞄の遺失に気づき並びにその携帯電話を起動した後に、主動的にサービスステーションにダイアルしサービスステーションに遺失した旅行鞄の情報を記録させることを特徴とする、リアルタイムで旅行鞄遺失に対応するシステムとしている。
請求項６の発明は、請求項１記載のリアルタイムで旅行鞄遺失に対応するシステムにおいて、乗客が旅行鞄の遺失に気づきその携帯電話を起動し、航空会社人員が遺失した旅行鞄を発見した時、旅行鞄のタグに記載された乗客の携帯電話番号により直接乗客にダイアルして乗客の確実な位置を知り、遺失した旅行鞄を乗客に送ることを特徴とする、リアルタイムで旅行鞄遺失に対応するシステムとしている。
請求項７の発明は、リアルタイムで旅行鞄遺失に対応する方法において、
（Ａ）乗客が預ける旅行鞄にサービスステーションの全天候サービス電話番号が印刷されて乗客が携帯電話番号と姓名を記入したタグを結びつける。
（Ｂ）旅行鞄の遺失が分かった時、乗客はその携帯電話を起動する。
（Ｃ）遺失した旅行鞄が見つかった時、航空会社の人員が旅行鞄のタグに印刷されたサービスステーションの全天候サービス電話番号により該サービスステーションにダイアルし、並びにサービスステーションにタグに記録された乗客の携帯電話番号と姓名を記録させる。
（Ｄ）サービスステーションより遺失した旅行鞄が発見されたことを乗客に報告する。  以上のステップを具えたことを特徴とする、リアルタイムで旅行鞄遺失に対応する方法としている。
請求項８の発明は、請求項７記載のリアルタイムで旅行鞄遺失に対応する方法において、（Ｄ）のステップで、サービスステーションが乗客の携帯電話にダイアルするかショートメッセージを送り、乗客の確実な位置を知り、航空会社に通知して遺失した旅行鞄を乗客に送るよう通知することを特徴とする、リアルタイムで旅行鞄遺失に対応する方法としている。
請求項９の発明は、請求項８記載のリアルタイムで旅行鞄遺失に対応する方法において、（Ａ）のステップで、タグに乗客が身につけて携帯できる保護カバーが付随し、該保護カバーにもサービスステーションの全天候サービス電話番号が印刷されたことを特徴とする、リアルタイムで旅行鞄遺失に対応する方法としている。
請求項１０の発明は、請求項９記載のリアルタイムで旅行鞄遺失に対応する方法において、保護カバーのサイズがパスポートサイズとされたことを特徴とする、リアルタイムで旅行鞄遺失に対応する方法としている。
請求項１１の発明は、請求項９記載のリアルタイムで旅行鞄遺失に対応する方法において、（Ｂ）のステップ中、乗客が主動的にサービスステーションにダイアルしサービスステーションに遺失した旅行鞄の情報を記録させることを特徴とする、リアルタイムで旅行鞄遺失に対応する方法としている。
請求項１２の発明は、請求項７記載のリアルタイムで旅行鞄遺失に対応する方法において、（Ｃ）のステップで、遺失した旅行鞄を発見した時、航空会社人員が旅行鞄のタグに記載された乗客の携帯電話番号により直接乗客にダイアルして乗客の確実な位置を知り、遺失した旅行鞄を乗客に送ることを特徴とする、リアルタイムで旅行鞄遺失に対応する方法としている。
請求項１３の発明は、リアルタイムで旅行鞄遺失に対応するシステムにおいて、サービスステーションとタグ及び保護カバーを具え、該サービスステーションは全天候サービス電話を提供し、タグは乗客が預ける荷物に結びつけられ、それにサービスステーションの全天候サービス電話番号とシリアルナンバーが印刷され、該保護カバーは乗客が身につけて携帯でき、それにサービスステーションの全天候サービス電話番号と同じシリアルナンバーが印刷され、
旅行鞄が遺失した時、乗客が携帯電話を起動し、保護カバーの全天候サービス電話番号によりサービスステーションにダイアルして携帯電話番号とシリアルナンバーをサービスステーションに告知して記録させ、航空会社人員が遺失した旅行鞄を発見した時、旅行鞄のタグのサービスステーションの全天候サービス電話番号によりサービスステーションにダイアルし、並びに旅行鞄のタグのシリアルナンバーを告知し、サービスステーションがこのシリアルナンバーにより乗客の携帯電話番号を調べて旅行鞄が発見されたことを乗客に伝えることを特徴とする、リアルタイムで旅行鞄遺失に対応するシステムとしている。
請求項１４の発明は、請求項１３記載のリアルタイムで旅行鞄遺失に対応するシステムにおいて、サービスステーションが乗客の携帯電話にダイアルするか或いはショートメッセージを送り、乗客の確実な位置を知り、航空会社に遺失した旅行鞄を乗客に送るよう通知することを特徴とする、リアルタイムで旅行鞄遺失に対応するシステムとしている。
請求項１５の発明は、請求項１３記載のリアルタイムで旅行鞄遺失に対応する方法において、保護カバーのサイズがパスポートサイズとされたことを特徴とする、リアルタイムで旅行鞄遺失に対応する方法としている。
請求項１６の発明は、リアルタイムで旅行鞄遺失に対応する方法において、
（Ａ）乗客が預ける旅行鞄に、サービスステーションの全天候サービス電話番号とシリアルナンバーが印刷されたタグを結びつけると共に、サービスステーションの全天候サービス電話番号と同じシリアルナンバーが印刷された保護カバーを付随したタグを身につけて携帯する。
（Ｂ）旅行鞄の遺失が分かった時、乗客はその携帯電話を起動し、保護カバーのサービスステーションの全天候サービス電話番号によりサービスステーションにダイアルし、携帯電話番号とシリアルナンバーをサービスステーションに告知して記録させる。
（Ｃ）遺失した旅行鞄が見つかった時、航空会社人員が旅行鞄のタグに印刷されたサービスステーションの全天候サービス電話番号により該サービスステーションにダイアルし、並びにタグのシリアルナンバーを告知する。
（Ｄ）サービスステーションがシリアルナンバーにより乗客の携帯電話番号を調べて乗客にダイアルし、遺失した旅行鞄が発見されたことを乗客に告知し、並びに乗客の確実な位置を知り、航空会社に遺失した旅行鞄を乗客に送るように告知する。
以上のステップを具えたことを特徴とする、リアルタイムで旅行鞄遺失に対応する方法としている。
【発明の効果】
【００１１】
本発明は、リアルタイムで旅行鞄遺失に対応するシステム及び方法を提供し、上述の周知の技術の欠点を解決している。
【発明を実施するための最良の形態】
【００１２】
本発明のリアルタイムで旅行鞄遺失に対応するシステム及び方法については図１を参照されたい。そのうち、乗客が預ける旅行鞄１１に、タグ１２を結びつける。旅行鞄１１が遺失した時、タグ１２に記載された情報により、サービスステーション１３と航空会社人員１８及び乗客１９のインタラクティブ動作によりリアルタイムで遺失し発見された旅行鞄１１を乗客１９に送り返す。
【００１３】
図２は前述のタグ１２を示し、それにはサービスステーション１３の全天候サービス電話番号（８８６−２−２２２２２２２２）が印刷されている。一般に、乗客が旅行鞄を預ける時、航空会社は乗客にこのタグ１２を提供し、乗客はそれに携帯電話番号及び姓名等のデータを書き込む。このタグ１２は別に保護カバー２１を付随し、この保護カバー２１にもサービスステーション１３の全天候サービス電話番号（８８６−２−２２２２２２２２）が印刷されている。且つ保護カバー２１のサイズは一般のパスポートに相当し、乗客１９がパスポートを保護カバー２１中に入れるのに便利であり、乗客が搭乗する過程に随時パスポートを保有できる。これにより、乗客がサービスステーション１３の全天候サービス電話番号を随時獲得できる。
【００１４】
図３は本発明のリアルタイムで旅行鞄遺失に対応する方法のフローチャートである。図１も共に参照されたい。まず、乗客はサービスステーション１３の全天候サービス電話番号と乗客の携帯電話番号と姓名が記録されたタグ１２を旅行鞄１１に結びつける。並びに旅行鞄１１を預ける（ステップＳ３０１）。乗客１９が目的の飛行場に到着した時、旅行鞄１１の遺失に気づいた時は、その携帯電話１９１を起動し、遺失した旅行鞄の消息が来るのを待つ（ステップＳ３０２）。これと同時に、航空会社人員１８がこの遺失した旅行鞄１１を発見した時、旅行鞄１１のタグ１２に印刷されたサービスステーション１３の全天候サービス電話番号により該サービスステーション１３にダイアルし、並びにサービスステーション１３にタグ１２に記録された乗客１９の携帯電話番号及び姓名等のデータを記録させる（ステップＳ３０３）。サービスステーション１３は即刻乗客１９の携帯電話１９１にダイアルするかショートメッセージを送り（ステップＳ３０４）、乗客が応答した後、サービスステーション１３は乗客１９の確実な位置（現在所在の飛行場或いはホテル住所）を知り、並びにこれらの情報を航空会社に告知し（ステップＳ３０５）、遺失した旅行鞄１１を乗客１９に送らせる（ステップＳ３０６）。
【００１５】
このほか、乗客１９は保護カバー２１によりサービスステーション１３の全天候サービス電話番号を知ることができ、これにより、乗客１９が旅行鞄１１の遺失に気づいてその携帯電話１９１を起動（ステップＳ３０２）後、更に主動的にサービスステーション１３にダイアルし、サービスステーション１３に遺失した旅行鞄１１の情報を記録させて、航空会社人員による速やかな旅行鞄の捜索を行なわせることができる（ステップＳ３０７）。
【００１６】
また、航空会社人員１８が遺失した旅行鞄１１を見つけた時（ステップＳ３０３）、タグ１２に記録された乗客１９の携帯電話番号及び姓名等のデータにより、航空会社人員１８が直接乗客１９にダイアルし（ステップＳ３０８）、乗客が応答した後、航空会社人員１８が乗客１９の確実な位置を知り（現在所在の飛行場或いはホテル住所）（ステップＳ３０９）、遺失した旅行鞄１１を乗客１９に送る事もできる（ステップＳ３０６）。
【００１７】
図４は前述のタグ１２の例を示す。それにはサービスステーション１３の全天候サービス電話番号（８８６−２−２２２２２２２２）とシリアルナンバーが印刷されている。このシリアルナンバーは旅行鞄１１のコードナンバーを代表する。このタグ１２は航空会社が乗客に発給する。このタグ１２には保護カバー２１が付随し、この保護カバー２１にも全天候サービス電話番号（８８６−２−２２２２２２２２）と同じシリアルナンバーが印刷されている。且つ保護カバー２１のサイズは一般のパスポートに相当し、乗客１９がパスポートを保護カバー２１のなかに入れるのに便利であり、乗客が随時サービスステーション１３の全天候サービス電話番号とその旅行鞄１１のシリアルナンバーを確保できる。
【００１８】
図５は前述のタグ１２を以て実施されるリアルタイムで旅行鞄遺失に対応する方法のフローチャートである。図１も併せて参照されたい。まず、乗客がサービスステーション１３の全天候サービス電話番号が印刷されたタグ１２を旅行鞄１１に結びつけ、並びに旅行鞄１１を預ける（ステップＳ５０１）。乗客１９が目的の飛行場に到着した時、旅行鞄１１の遺失に気づいた時は、携帯電話１９１を起動し、保護カバー２１に印刷された全天候サービス電話番号によりサービスステーションにダイアルし、その所在の連絡電話（例えば携帯電話番号或いはホテルの電話番号）及び旅行鞄１１のシリアルナンバーをサービスステーション１３の人員に告知してそれを記録させる（ステップＳ５０２）。これと同時に、航空会社人員１８がこの遺失した旅行鞄１１を発見した時、旅行鞄１１のタグ１２に印刷されたサービスステーション１３の全天候サービス電話番号によりサービスステーション１３にダイアルし、並びに旅行鞄１１のシリアルナンバーを告知する（ステップＳ５０３）。サービスステーション１３の人員はこのシリアルナンバーにより乗客１９の携帯電話番号或いは旅行中の連絡電話番号を探し出し、乗客１９にダイアルし（ステップＳ５０４）、乗客が応答した後、サービスステーション１３は乗客１９の確実な位置（現在所在の飛行場或いはホテル住所）を知り、これらの情報を航空会社に告知し（ステップＳ５０５）、遺失した旅行鞄１１を乗客１９に送らせる（ステップＳ５０６）。以上の説明から分かるように、本考案は旅行鞄に、サービスステーションの全天候サービス電話番号と乗客の携帯電話番号を記録したタグを結びつけることにより、旅行鞄が遺失した時、サービスステーションを通してリアルタイムで乗客に対応し、並びに乗客の現在所在の場所を掌握し、遺失した旅行鞄を速やかに且つ正確に乗客に送り届けることができる。
【００１９】
上述の実施例は説明の便の為に提示されたものであり、本考案の主張する権利はその特許請求の範囲の記載に準じ、以上の実施例に限定されるものではない。
【図面の簡単な説明】
【００２０】
【図１】本発明のリアルタイムで旅行鞄遺失に対応するシステムの表示図である。
【図２】本発明の第１実施例で使用されるタグの表示図である。
【図３】本発明の第１実施例のリアルタイムで旅行鞄遺失に対応する方法のフローチャートである。
【図４】本発明の第２実施例で使用されるタグの表示図である。
【図５】本発明の第２実施例のリアルタイムで旅行鞄遺失に対応する方法のフローチャートである。
【符号の説明】
【００２１】
１１  旅行鞄            １２  タグ
１３  サービスステーション      １８  航空会社人員
１９  乗客                      １９１  携帯電話
２１  保護カバー
【図１】
2006072959.tif 000003
【図２】
2006072959.tif 000004
【図３】
2006072959.tif 000005
【図４】
2006072959.tif 000006
【図５】
2006072959.tif 000007